(57)【要約】【課題】パック契約を行ったチャンネルグループごとの受信時間の実績を画面表示可能なテレビ放送受信機を提供する。【解決手段】あらかじめ定めた一定時間の周期ごとに、パック契約を行ったチャンネルグループに属するいずれかのチャンネルが受信中の場合に、該一定時間ずつ積算する、または、いずれかの前記チャンネルの受信を視聴者が指示した際に、当該チャンネルの受信の有無と当該チャンネルの受信開始時刻と受信終了時刻とから、当該チャンネルが属する前記チャンネルグループの受信時間を算出する。算出したチャンネルグループごとの受信時間を画面表示する際に、当月の受信時間のみならず、受信時間履歴として、先月、過去３ヶ月、過去６ヶ月、過去の累計の各受信時間を少なくとも含めて画面表示する。また、チャンネルグループごとのパック契約料金を該チャンネルグループの受信時間で除した受信単位時間当たりの受信料金を合わせて画面表示する。【選択図】図１
2009010884.tif 000002
【特許請求の範囲】
【請求項１】
１ないし複数のチャンネルをチャンネルグループとしてパック契約により視聴受信契約を行うことができる放送受信機において、パック契約した前記チャンネルグループごとに、当該チャンネルグループに属する前記チャンネルの合計受信時間を画面表示することを特徴とする放送受信機。
【請求項２】
パック契約を行う前記チャンネルグループとして、１ないし複数のチャンネルグループをパック契約することが可能であることを特徴とする請求項１に記載の放送受信機。
【請求項３】
画面表示する前記チャンネルグループごとの受信時間を画面表示する際に、前記チャンネルグループに属する前記チャンネルのうち、受信契約を行っているチャンネルごとの受信時間を、当該チャンネルグループごとに分類して画面表示することを特徴とする請求項１または２に記載の放送受信機。
【請求項４】
あらかじめ定めた一定時間が示す周期ごとに、パック契約を行った前記チャンネルグループに属するいずれかのチャンネルの受信の有無を監視し、受信中のチャンネルが存在していた場合、前記一定時間ずつ積算することによって、当該チャンネルが属する前記チャンネルグループの受信時間を算出することを特徴とする請求項１ないし３のいずれかに記載の放送受信機。
【請求項５】
パック契約を行った前記チャンネルグループに属するいずれかのチャンネルの受信を視聴者が指示した際に、当該チャンネルの受信の有無を判別するとともに、当該チャンネルの受信開始時刻と受信終了時刻とから、当該チャンネルが属する前記チャンネルグループの受信時間を算出することを特徴とする請求項１ないし３のいずれかに記載の放送受信機。
【請求項６】
前記チャンネルグループごとの受信時間を画面表示する際に、当月の受信時間のみならず、先月の受信時間を少なくとも含む受信時間の履歴を画面表示することを特徴とする請求項１ないし５に記載の放送受信機。
【請求項７】
前記チャンネルグループごとの受信時間を画面表示する際に、受信時間の前記履歴として、過去の複数月に亘る受信時間を画面表示する際に、当該複数月の受信時間を当該複数月で除した一月当たりの平均受信時間として画面表示することを特徴とする請求項６に記載の放送受信機。
【請求項８】
前記チャンネルグループごとの受信時間を画面表示する際に、前記チャンネルグループごとのパック契約料金を、当該チャンネルグループの受信時間によって除した、受信単位時間当たりの受信料金を画面表示することを特徴とする請求項１ないし７のいずれかに記載の放送受信機。
【請求項９】
１ないし複数のチャンネルをチャンネルグループとしてパック契約により視聴受信契約を行うことができる放送受信方法において、パック契約した前記チャンネルグループごとに、当該チャンネルグループに属する前記チャンネルの合計受信時間を画面表示することを特徴とする放送受信方法。
【発明の詳細な説明】
【技術分野】
【０００１】
本発明は、テレビやラジオの放送受信機及び放送受信方法に関し、特に、パック契約した各チャンネルグループごとの受信時間の履歴を把握可能な放送受信機、放送受信方法に関する。
【背景技術】
【０００２】
特許文献１の特開２０００−２８７１８０号公報「映像データ処理装置」には、月極めなどによって所定の数のチャンネルをあらかじめ選択して受信(視聴)するいわゆるパックの制度において、選択したチャンネルごとのそれぞれの受信(視聴)時間を記録・算出し、表示する手段を適用することにより、パックとして選択したチャンネルの選択妥当性を確認し判断する技術が提案されている。
【０００３】
例えば、図７に示すごときチャンネルごとの受信時間に関する表示内容を確認することにより、視聴者は、どのチャンネルを何時間受信(視聴)したかを容易に知ることができ、チャンネルの選択が適切か否かを容易に判断することができる。図７は、パック制度によるチャンネルごとの受信時間の表示例を示す模式図であり、９９年１月の視聴時間の状況をチャンネル番号と視聴実績時間とを対応付けて示している。例えば、チャンネル７０７は、パックとして選択したチャンネルにも係わらず、１月は、全く視聴していないことを容易に把握することができる。
【特許文献１】特開２０００−２８７１８０号公報（第３−４頁）
【発明の開示】
【発明が解決しようとする課題】
【０００４】
視聴者は、いくつかのパックを複数契約して、テレビ放送を楽しむことが一般的である。例えば、映画系のパック、音楽系のパック、キッズ系のパックなどをそれぞれ受信契約し、テレビ放送を楽しむことが通常行われている。
【０００５】
一方、特定のパックとパックとの同時契約を行った場合には、特別の割引サービスが提供されるケースなどのような特殊な場合を除いて、契約料金(課金)は、原則として、パック単位で請求される場合が多い。例えば、映画系の３ｃｈ選択パック＝月額１，０００円、音楽系の２ｃｈパック＝月額５００円、キッズ系のパック＝月額８００円などとパック単位に契約料金が提示されている。
【０００６】
視聴者は、契約している全パックの合計受信契約料金（請求額）を、年や月単位で支払うこととなる。例えば、前述の例では、映画系パック１，０００円＋音楽系パック５００円＋キッズ系パック８００円＝月額合計２,３００円を支払うことになる。
【０００７】
ここで、視聴者が受信契約料金の全体的な見直しをしたい場合、特に、他のパックに比べて、高い受信契約料金を支払いながら、あまり受信(視聴)していないパックなどについて、視聴者として受信契約を見直したいことになる。例えば、前述の例において、最近、“音楽系”の放送を受信する時間が極めて減っている場合には、音楽系のパックを解約することにより、月額５００円の節約となる。
【０００８】
しかし、従来技術では、視聴者は、契約しているそれぞれのパックを何時間受信(視聴)したかを、容易には知る(比較する)ことができず、それぞれのパックの契約が適切か否か(つまりパックごとの契約妥当性)を容易には判断することはできない状況にある。例えば、前述の例において、“音楽系”の放送を受信する時間が極めって減っている場合であっても、視聴者は、“音楽系”の放送が減っているという事態には気がつかず、無駄に、月額５００円を支払い続けてしまうという問題がある。
【０００９】
本発明は、かかる事情に鑑みてなされたものであり、パック契約を結んでいる各チャンネルグループごとの受信（視聴）時間の実績を画面表示することが可能な放送受信機及び放送受信方法を提供することを、その目的としている。
【課題を解決するための手段】
【００１０】
前述の課題を解決するため、本発明による放送受信機及び放送受信方法は、次のような特徴的な構成を採用している。
【００１１】
（１）１ないし複数のチャンネルをチャンネルグループとしてパック契約により視聴受信契約を行うことができる放送受信機において、パック契約した前記チャンネルグループごとに、当該チャンネルグループに属する前記チャンネルの合計受信時間を画面表示する放送受信機。
（２）パック契約を行う前記チャンネルグループとして、１ないし複数のチャンネルグループをパック契約することが可能である上記（１）の放送受信機。
（３）画面表示する前記チャンネルグループごとの受信時間を画面表示する際に、前記チャンネルグループに属する前記チャンネルのうち、受信契約を行っているチャンネルごとの受信時間を、当該チャンネルグループごとに分類して画面表示する上記（１）または（２）の放送受信機。
（４）あらかじめ定めた一定時間が示す周期ごとに、パック契約を行った前記チャンネルグループに属するいずれかのチャンネルの受信の有無を監視し、受信中のチャンネルが存在していた場合、前記一定時間ずつ積算することによって、当該チャンネルが属する前記チャンネルグループの受信時間を算出する上記（１）ないし（３）のいずれかの放送受信機。
（５）パック契約を行った前記チャンネルグループに属するいずれかのチャンネルの受信を視聴者が指示した際に、当該チャンネルの受信の有無を判別するとともに、当該チャンネルの受信開始時刻と受信終了時刻とから、当該チャンネルが属する前記チャンネルグループの受信時間を算出する上記（１）ないし（３）のいずれかの放送受信機。
（６）前記チャンネルグループごとの受信時間を画面表示する際に、当月の受信時間のみならず、先月の受信時間を少なくとも含む受信時間の履歴を画面表示する上記（１）ないし（５）の放送受信機。
（７）前記チャンネルグループごとの受信時間を画面表示する際に、受信時間の前記履歴として、過去の複数月に亘る受信時間を画面表示する際に、当該複数月の受信時間を当該複数月で除した一月当たりの平均受信時間として画面表示する上記（６）の放送受信機。
（８）前記チャンネルグループごとの受信時間を画面表示する際に、前記チャンネルグループごとのパック契約料金を、当該チャンネルグループの受信時間によって除した、受信単位時間当たりの受信料金を画面表示する上記（１）ないし（７）のいずれかの放送受信機。
（９）１ないし複数のチャンネルをチャンネルグループとしてパック契約により視聴受信契約を行うことができる放送受信方法において、パック契約した前記チャンネルグループごとに、当該チャンネルグループに属する前記チャンネルの合計受信時間を画面表示する放送受信方法。
【発明の効果】
【００１２】
本発明の放送受信機及び放送受信方法によれば、以下のような効果を得ることができる。
【００１３】
第一に、受信契約者は、契約しているそれぞれのパックを何時間受信(視聴)したかを容易に知ることができ、それぞれのパックの受信契約が適切か否か(パックごとの契約妥当性)を判断することができる。
【００１４】
第二に、受信契約者は、今月の受信(視聴)時間とは別に、過去の受信時間の履歴を確認することができるので、長期的な統計データに基づいた契約妥当性の判断を行うこともできる。
【００１５】
第三に、受信契約者は、実際に支払っている金額や１時間当たりの受信料金等も確認することができるので、契約妥当性の判断のための効果的なアイテム(比較判断基準の一つ)として有効に利用することもできる。
【発明を実施するための最良の形態】
【００１６】
以下、本発明による放送受信機及び放送受信方法の好適な実施例について添付図を参照して説明する。なお、以下の説明においては、本発明によるテレビ放送受信機およびテレビ放送受信方法について説明するが、ラジオ放送でも同様であることは勿論である。かかるテレビ放送受信方法をコンピュータにより実行可能なテレビ放送受信プログラムとして実施するようにしても良いし、あるいは、テレビ放送受信プログラムをコンピュータにより読み取り可能な記録媒体に記録するようにしても良いことは言うまでもない。また、ラジオ放送の受信機でもインターネット回線を通した放送受信機にも適用できる。
【００１７】
（実施例の構成）
本発明によるテレビ放送受信機として、デジタル放送受信機を例にとって、デジタル放送受信機の標準的なシステム構成を図１に示す。図１は、本発明によるテレビ放送受信機の構成例を示すブロック構成図である。本発明によるテレビ放送受信機つまりデジタル放送受信機１００の内部は、チューナ２１と、復調部２２と、フィルタモジュール２３と、メインコントローラ２４と、オーディオデコーダ２５と、ビデオデコーダ２６と、ＯＳＤ制御部２７と、ミキシングユニット２８と、メモリ２９と、タイマ３０とを少なくとも含んで構成される。
【００１８】
また、フィルタモジュール２３には、デマルチプクサ／デスクランブル等の機能とともに、サーバ等からなり、課金・コンテンツ保護を管理する外部管理システム１５とネットワークを介して通信する手段を有している。さらに、デジタル放送受信機１００の外部には、アンテナ等の電波受信装置１１、リモコン等のユーザ要求入力装置１２、スピーカ等の音声出力装置１３、モニタ等の映像出力装置１４が接続される。
【００１９】
メインコントローラ２４は、リモコン等のユーザ要求入力装置１２からの入力(ユーザ要求)に応じて、必要な各デバイスの制御や、演算処理等を行い、デジタル放送受信機１００全体のコントロールを担う。
【００２０】
チューナ２１は、メインコントローラ２４によって制御されて、アンテナ等の電波受信装置１１によって受信された複数の放送電波信号の中からいずれか１つの放送局の信号を選局して検波し、検波した信号を復調部２２に出力する。復調部２２は、メインコントローラ２４によって制御されて、チューナ２１から入力された検波信号を復調して、フィルタモジュール２３のデマルチプレクサに対して、トランスポートストリーム(Ｔｒａｎｓｐｏｒｔ  Ｓｔｒｅａｍ。以下、ＴＳと略記することがある)として出力する。
【００２１】
フィルタモジュール２３は、メインコントローラ２４によって制御されて、復調部２２から送られてくるＴＳから、各コンテンツ(つまり、放送情報コンテンツ(データ)・映像コンテンツ(データ)・音声コンテンツ(データ)の各コンテンツ)を分離する。ここで、コンテンツが有料であった場合には、外部の外部管理システム１５とネットワークを介して必要な手続きを行い、暗号化されている保護状態を解除(デスクランブル)する。
【００２２】
分離された映像コンテンツ(データ)は、ビデオデコーダ２６へ、音声コンテンツ(データ)は、オーディオデコーダ２５へ出力される。また、放送情報コンテンツ(データ)は、メインコントローラ２４へ出力され、メインコントローラ２４により解析され、必要に応じて、メモリ２９に蓄えられる。また、ＯＳＤ(グラフィック)表示に必要な要素は、メインコントローラ２４により処理・選択され、ＯＳＤ制御部２７に出力される。
【００２３】
ＯＳＤ制御部２７は、メインコントローラ２４から入力された要素からグラフィカルな静止画信号を生成し、ミキシングユニット２８に出力する。また、ビデオデコーダ２６は、フィルタモジュール２３から入力された映像コンテンツ（データ）をデコードして動画信号とし、ミキシングユニット２８に出力する。
【００２４】
ミキシングユニット２８は、ビデオデコーダ２６からの映像信号とＯＳＤ制御部２７からの静止画信号とを合成して、合成映像信号として、モニタ等の映像出力装置１４に出力する。
【００２５】
一方、オーディオデコーダ２５は、フィルタモジュール２３から入力された音声コンテンツ（データ）をデコードして音声信号とし、スピーカ等の音声出力装置１３に出力する。
【００２６】
（実施例の動作の説明）
図１に示すデジタル放送受信機１００の動作概要のうち、パック契約における動作と、パック契約のチャンネルグループごとの受信時間の実績と、パック契約の課金状態を示す動作例として、詳細は後述するが、主に、次のような動作が行われる。
（１）メインコントローラ２４は、契約(課金)の単位である“パック”(チャンネルグループ)単位で受信した放送時間（受信時間）を計測し、算出して、メモリ２９に記録するとともに、ＯＳＤ制御部２７を介して、映像出力装置１４に一覧表示する。
（２）“パック”(チャンネルグループ)単位に今月の受信時間とともに、例えば、先月、過去３ヶ月、過去６ヶ月などの累積受信時間を、映像出力装置１４に同時に表示する。
（３）また、“パック”(チャンネルグループ)単位に実際に支払っている金額および受信時間当たりの受信単価(例えば１時間当たりのおよその料金)を算出し、映像出力装置１４に表示する。
【００２７】
メインコントローラ２４においては、前述のように、“パック”(チャンネルグループ)単位に受信した受信時間を計測し、メモリ２９に保存し、映像出力装置１４に表示処理を行うための最適なデータ構造として、図２に示すような受信履歴をメモリ２９内に作成する。図２は、本発明によるテレビ放送受信機の受信履歴の保存形式の一例を示すメモリ構成図である。図２に示すように、受信履歴の保存構造例としては、アクセス性を向上させるために、チャンネル（サービス：Ｓｅｒｖｉｃｅ）情報Ｏ１、チャンネルグループ（パック：Ｓｅｒｖｉｃｅ  Ｂｕｎｄｌｅ）情報Ｏ２、受信履歴（アーカイブ：Ａｒｃｈｉｖｅ）情報Ｏ３の多段構造からなっている。
【００２８】
チャンネル(サービス)情報Ｏ１は、チャンネル番号、チャンネル名、チャンネル概要などのデータを有している。チャンネルグループ(パック)情報Ｏ２は、グループの名称、グループの概要、課金の情報(契約料金)、契約期間締め日などのデータを有している。また、受信履歴情報Ｏ３は、記録日（年月日、曜日）、受信時間（秒）などのデータを有している。
【００２９】
さらに、チャンネル(サービス)情報Ｏ１、チャンネルグループ(パック)情報Ｏ２、受信履歴情報Ｏ３の各情報は、それぞれ、相互の関係(リレーションリンク)を有している。１つのチャンネルグループ(パック)情報Ｏ２は、リレーションＲ１として、課金により受信が可能となる、複数のチャンネル情報Ｏ１との間の関係を形成する。また、１つのチャンネルグループ(パック)情報Ｏ２は、リレーションＲ２として、例えば６ヶ月分(約１８０日分以上)の受信履歴情報Ｏ３との間の関係を形成する。受信履歴情報Ｏ３は、自身で、リレーションＲ３として、前日の受信履歴情報との間の関係を形成し、追跡可能な線形構造をなすものとする。
【００３０】
さらに、処理や算出に適する特殊な関係を形成することも可能である。例えば、１つのチャンネルグループ(パック)情報Ｏ２は、リレーションＲ２１として、特定の一つの“本日の”受信履歴情報Ｏ３と直接関係を形成したり、リレーションＲ２２として、“今月の初日の”受信履歴情報と関係を形成したり、リレーションＲ２３として、“先月の初日の”受信履歴情報と特定の一つの関係を形成したりすることも可能である。
【００３１】
参考までに、メモリ２９に実際に保存した受信履歴データの保存内容の実体例を図３に示す。図３に示すように、チャンネルグループ１は、グループ概要「メジャ洋画…パック」、グループ名「シネマチャンネルセット」、月単位の契約料金が１，０００円で、契約締め日が月末というシネマ鑑賞用チャンネルのパック契約のグループを示しており、該パックは、最新洋画チャンネルであるチャンネル名「シネマ１０１」というチャンネル１０１、洋画チャンネルであるチャンネル名「シネマ１０３」というチャンネル１０３および名画チャンネルであるチャンネル名「シネマ１０５」というチャンネル１０５の３つのチャンネルからなっている。また、図３には、グループ名「シネマチャンネルセット」の受信履歴として、最新情報として「２００７年０３月１５日（木）に３，６００秒の受信時間」があり、前日の「２００７年０３月１４日（水）は０秒」、さらに、「２００７年０３月０１日（木）も０秒」、…、さらに遡って、「２００７年０２月０１日（木）は１，８００秒の受信時間」があった例を示している。
【００３２】
同様に、図３に示すように、チャンネルグループ２は、グループ概要「洋楽ヒットチャート…パック」、グループ名「ミュージックお得セット」、月単位の契約料金が５００円で、契約締め日が月末というミュージック鑑賞用チャンネルのパック契約のグループを示しており、該パックは、洋楽最新ヒット１チャンネルであるチャンネル名「ベストヒット１」というチャンネル２０１および洋楽最新ヒット２チャンネルであるチャンネル名「ベストヒット２」というチャンネル２０２の２つのチャンネルからなっている。また、図３には、グループ名「ミュージックお得セット」の受信履歴として、最新情報として「２００７年０３月１５日（木）が０秒」であり、前日の「２００７年０３月１４日（水）も０秒」、さらに、「２００７年０３月０１日（木）も０秒」、…、さらに遡って、「２００７年０２月０１日（木）は６００秒の受信時間」があった例を示している。
【００３３】
なお、図２に示すチャンネル(サービス)情報Ｏ１やチャンネルグループ(パック)情報Ｏ２の各データは、放送電波信号に重畳されてくる放送情報や外部管理システム１５との間の通信情報によって得られるものである。メインコントローラ２４は、放送情報や通信情報から得られたチャンネル(サービス)情報Ｏ１やチャンネルグループ(パック)情報Ｏ２などの各データを、メモリ２９に記録し保存する。あるいは、視聴者が、ユーザ要求入力装置１２から独自に設定するという方法を用いることによって、チャンネル(サービス)情報Ｏ１やチャンネルグループ(パック)情報Ｏ２のデータをメモリ２９に記録保存させることもできる。
【００３４】
次に、受信履歴情報Ｏ３の受信時間の更新方法の一例を、図４のフローチャートを用いて説明する。図４は、本発明によるテレビ放送受信機の一例であるデジタル放送受信機１００の受信時間の更新方法の一例を示すフローチャートであり、最もシンブルな例として、本発明によるテレビ放送受信機の一例であるデジタル放送受信機１００に含まれるタイマ３０から出力される１秒周期イベントによって受信時間(秒)を更新する場合、つまり、１秒タイマにより周期的に起動される場合を示している。
【００３５】
まず、最初に日付更新の確認を行う（ステップＳ１）。日付が変更された場合には（ステップＳ１のＹＥＳ）、全チャンネルグループについて、新しい日付の「受信履歴情報」を新たに生成し、それぞれの「チャンネルグループ」との新規の関係（リレーション）を形成する（ステップＳ２）。また、新しい日付の「受信履歴情報」は、前日の「受信履歴情報」との関係（リレーション）も形成する。さらに、前日の「受信履歴情報」と「チャンネルグループ」との間で結ばれた“本日の受信履歴”の関係は、リレーションＲ２１として、前日の「受信履歴情報」からの関係を切り、新規の新しい日付の「受信服歴情報」と「チャンネルグループ」との間で、結び直す。なお、新しい日付の受信時間の初期値は０(秒)と設定する。
【００３６】
また、本日が締め日の翌日に該当する契約期間の初日か否かを確認する（ステップＳ３）。もし、契約期間の初日であった場合には（ステップＳ３のＹＥＳ）、リレーションＲ２２として、新規の新しい日付の「受信服歴情報」と「チャンネルグループ」との間で、その月の初日の特殊な関係も結ぶ（ステップＳ４）。
【００３７】
続いて、現在、テレビ放送を受信(視聴)しているか否かを確認して（ステップＳ５）、受信している場合には（ステップＳ５のＹＥＳ）、受信しているチャンネルが或るチャンネルグループに属しているか否かを調べ（ステップＳ６）、受信しているチャンネルが或るチャンネルグループに属している場合には（ステップＳ６のＹＥＳ）、受信している「チャンネルグループ」について“本日の受信履歴”の関係が結ばれている「受信履歴」の“受信時間”値に“＋１”秒加算する（ステップＳ７）。
【００３８】
以上の処理を１秒周期ごとに繰り返すことによって、各チャンネルグループの受信時間が記録・蓄積されていく。
【００３９】
以上のようなテレビ放送受信方法によって蓄積されたチャンネルグループごとの受信時間について、映像出力装置１４にＯＳＤ情報として一覧表示している一例を図５に示す。図５は、本発明によるテレビ放送受信機の一例であるデジタル放送受信機１００の映像出力装置１４にチャンネルグループごとの受信時間を一覧表示した一例を示す模式図であり、パックとして契約したチャンネルグループが、チャンネルグループ００１（シネマチャンネルセット）、チャンネルグループ００２（ミュージックお得セット）およびチャンネルグループ００３（キッズ・アニメ・チョイス）の３つであった場合を示している。
【００４０】
図５に示すように、“今月”、“先月”、“過去３ヶ月合計”、“過去６ヶ月合計”および“過去累積”のそれぞれについて、各チャンネルグループごとの受信時間の履歴が示されており、チャンネルグループ００１の場合、それぞれ、５時間３０分、６時間３０分、２０時間、３５時間３０分、２５０時間の受信時間であり、チャンネルグループ００２の場合、それぞれ、０分、０分、０分、３時間、２４時間の受信時間と僅かであり、チャンネルグループ００３の場合、それぞれ、５時間３０分、６時間３０分、２０時間３０分、３５時間１５分、３５２時間３０分の受信時間であったことを示している。
【００４１】
なお、図５に示す各チャンネルグループの“今月”の受信時間は、「チャンネルグループ」より“今月の初日”の関係で結ばれた「受信履歴」から“本日の”関係で結ばれた「受信履歴」までの“受信時間”の合計値を算出して、表示する。同様に、“先月”、“過去３ヶ月”、“過去６ヶ月”もそれぞれの期間の“受信時間”の合計値を算出して、表示する。また、“過去累積”は、全ての「受信履歴」の“受信時間”の合計値を算出して、表示する。
【００４２】
また、チャンネルグループごとの受信時間および１時間当たりの受信料金について、映像出力装置１４にＯＳＤ情報として一覧表示している一例を図６に示す。図６は、本発明によるテレビ放送受信機の一例であるデジタル放送受信機１００の映像出力装置１４にチャンネルグループごとの受信時間および１時間当たりの受信料金を一覧表示した一例を示す模式図であり、各チャンネルグループごとの契約料金を受信時間で除することにより、１時間当たりの受信時間を算出して表示している。ただし、受信時間が“０”分の“視聴なし”の場合は、算出不可とする。
【００４３】
図６に示すように、チャンネルグループ００１（シネマチャンネルセット）、チャンネルグループ００２（ミュージックお得セット）およびチャンネルグループ００３（キッズ・アニメ・チョイス）の“今月”、“先月”、“過去３ヶ月合計”、“過去６ヶ月合計”および“過去累積”のそれぞれの受信時間（視聴時間）は、図５の場合と同じであり、それぞれの契約料金は、月額で、１，０００円、５００円、８００円である場合としている。各チャンネルグループごとの受信時間の履歴に対応する１時間当たりの受信料金は、チャンネルグループ００１の場合、それぞれ、１８２円、１５４円、１５０円、１６９円、９６円であり、チャンネルグループ００２の場合、それぞれ、視聴なし、視聴なし、視聴なし、１，０００円、５００円と割高であり、チャンネルグループ００３の場合、それぞれ、１４５円、１２３円、１１７円、１３６円、５４円とお得であったことを示している。
【００４４】
以上のように、本発明においては、
（１）課金対象のチャンネルグループ(パック)単位に、受信(視聴)時間の履歴を記録・算出し、一覧表示することを可能としている。
（２）また、今月の受信(視聴)時間と先月、過去３ヶ月、過去６ヶ月、累計の受信時間と、長期的な履歴統計を合わせて表示することを可能としている。
（３）また、実際に支払っている契約料金や時間単価(＝支払契約料金／受信時間)などについても、契約チャンネルグループ(パック)単位に、一覧表示して、契約の妥当性を的確に判断するための支援情報を一覧表示することを可能としている。
【００４５】
（実施例の効果）
第一に、受信契約者は、契約しているそれぞれのパックを何時間受信(視聴)したかを容易に知ることができ、それぞれのパックの受信契約が適切か否か(パックごとの契約妥当性)を判断することができる。
【００４６】
第二に、受信契約者は、今月の受信(視聴)時間とは別に、過去の受信時間の履歴を確認することができるので、長期的な統計データに基づいた契約妥当性の判断を行うこともできる。
【００４７】
第三に、受信契約者は、実際に支払っている金額や１時間当たりの受信料金等も確認することができるので、契約妥当性の判断のための効果的なアイテム(比較判断基準の一つ)として有効に利用することもできる。
【００４８】
（他の実施例）
受信履歴情報としての受信時間の更新方法については、図４のような１秒タイマを利用する方法に限るものではなく、他の方法を用いて実現することも可能である。例えば、受信開始時刻、受信終了時刻、および、チャンネル変更などの“視聴者からの要求イベント”をトリガにして、メインコントローラ２４にて受信時間の算出を行い、メモリ２９に保存する方法も可能である。
【００４９】
また、図２に示すメモリ２９に記録する受信履歴に関するデータ構造についても、よりシンブルに、「チャンネルグループ」ごとに、直接、“今月の受信時間”、“過去の受信時間”、“累積時間”等を記録する方法にて実現することも可能である。なお、過去３ヶ月、過去６ヶ月、累計の受信時間については、図２、図３に示すように、それぞれの期間内の受信合計時間を画面表示する場合について説明したが、それぞれの期間によって除して、それぞれの期間内の月平均受信時間として画面表示するようにしても良い。
【００５０】
また、図５、図６には、パック契約したチャンネルグループごとの受信時間を一覧表示した例を説明したが、パック契約を行う各チャンネルグループに属する複数のチャンネルのうち、いずれか１ないし複数のチャンネルを任意に選択して、選択したチャンネルに応じた課金方法を採用することができるような場合など、場合によっては、契約したチャンネルグループに属する選択中の各チャンネルごとの受信時間を各チャンネルグループの単位で一覧表示するようにしても良い。
【００５１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００５２】
【図１】本発明によるテレビ放送受信機の構成例を示すブロック構成図である。
【図２】本発明によるテレビ放送受信機の受信履歴の保存形式の一例を示すメモリ構成図である。
【図３】本発明によるテレビ放送受信機のメモリに実際に保存した受信履歴データの保存内容の実体例を示す説明図である。
【図４】本発明によるテレビ放送受信機の受信時間の更新方法の一例を示すフローチャートである。
【図５】本発明によるテレビ放送受信機の映像出力装置にチャンネルグループごとの受信時間を一覧表示した一例を示す模式図である。
【図６】本発明によるテレビ放送受信機の映像出力装置にチャンネルグループごとの受信時間および１時間当たりの受信料金を一覧表示した一例を示す模式図である。
【図７】パック制度によるチャンネルごとの受信時間の表示例を示す模式図である。
【符号の説明】
【００５３】
１１      電波受信装置
１２      ユーザ要求入力装置
１３      音声出力装置
１４      映像出力装置
１５      外部管理システム
２１      チューナ
２２      復調部
２３      フィルタモジュール
２４      メインコントローラ２４
２５      オーディオデコーダ
２６      ビデオデコーダ
２７      ＯＳＤ制御部
２８      ミキシングユニット
２９      メモリ
３０      タイマ
１００    デジタル放送受信機
Ｏ１      チャンネル（サービス）情報
Ｏ２      チャンネルグループ（パック）情報
Ｏ３      受信履歴情報
Ｒ１      リレーション
Ｒ２      リレーション
Ｒ３      リレーション
【図１】
2009010884.tif 000003
【図２】
2009010884.tif 000004
【図３】
2009010884.tif 000005
【図４】
2009010884.tif 000006
【図５】
2009010884.tif 000007
【図６】
2009010884.tif 000008
【図７】
2009010884.tif 000009